(57)【要約】【課題】任意の位置で容易に着脱可能なケーブル支持具を提供する。【解決手段】ケーブル支持具１は、長尺板状のサポート本体２と、横断面略五角形状の押し当て部材３と、調整ねじ４とを備え、サポート本体２の長尺方向の一端は、４５度で屈曲されて第１曲げ部５が形成され、第１曲げ部５には、ねじ孔６が設けられ、サポート本体２の長尺方向の他端は、９０度で屈曲されて第２曲げ部７が形成され、押し当て部材３は、第１曲げ部５を挿入する挿入孔９を側面３ａに有して、内部にその収容空間１０を備えると共に、第１曲げ部５を収容した状態で、サポート本体２の長手方向を向く側面３ｃと、それに直交する側面３ｄとを有する柱状体であり、さらに、収容されている第１曲げ部５のねじ孔６に、調整ねじ４を螺入するためのねじ挿通孔１１が側面３ｂに形成されている。【選択図】図１
2022002250.tif 000002
【特許請求の範囲】
【請求項１】
電気機器を収納可能な箱体であるボックス本体の内側に取り付け可能なケーブル支持具であって、
長尺板状のサポート本体と、前記サポート本体の一端に装着される押し当て部材と、調整ねじとを備え、
前記サポート本体の長尺方向の一端は、９０度未満の角度で屈曲されて第１曲げ部が形成され、
前記第１曲げ部には、ねじ孔が設けられ、
前記サポート本体の長尺方向の他端は、９０度で屈曲されて第２曲げ部が形成され、
前記押し当て部材は、前記第１曲げ部を挿入する挿入孔を側部に有して、内部にその収容空間を備えると共に、
前記第１曲げ部を収容した状態で、前記サポート本体の長手方向を向く面と、それに直交する面を側部に有する柱状体であり、
さらに、収容されている前記第１曲げ部の前記ねじ孔に、前記調整ねじを螺入するためのねじ挿通孔が前記挿入孔近傍の側部に形成されており、
前記調整ねじの締め付け具合により、前記サポート本体が、少なくともその長尺方向に沿って移動し、前記第２曲げ部と、前記押し当て部材の前記サポート本体の長手方向を向く面とを前記ボックス本体の対向する一対の壁の内面それぞれに当接させることで、固定可能であることを特徴とするケーブル支持具。
【請求項２】
前記第１曲げ部は、３０〜６０度の角度で屈曲形成されることを特徴とする請求項１に記載のケーブル支持具。
【発明の詳細な説明】
【技術分野】
【０００１】
本発明は、電気機器を収納する箱の内面に取り付けるケーブル支持具に関する。
【背景技術】
【０００２】
従来、電気機器収納箱に収納された電気機器の配線等のケーブル類をまとめて支持するためのケーブル支持具は、例えば、ケーブル支持具を電気機器収納箱の側面の内面に直接溶接するものが知られている。他にも、例えば特許文献１のように、電気機器収納箱の側面部の内面に沿って設ける配線支持部材を、電気機器収納箱の内面にねじ止めして固定する技術が開示されている。
【先行技術文献】
【特許文献】
【０００３】
【特許文献１】特許４４２４６６３号公報
【発明の概要】
【発明が解決しようとする課題】
【０００４】
しかし、ケーブル支持具を溶接によって取り付ける場合、電気機器の配線を電気機器収納箱の外へ取り出すための取り出し孔の位置によっては、ケーブル支持具の取付可能範囲が限定され、所望の位置に取り付けられない可能性がある。また、箱内での作業になるため、取り付け及び取り外しのための溶接作業が繁雑となるため、位置の調整が困難である。一方、特許文献１で開示されたような、ねじ止めして固定する配線支持部材は、当該配線支持部材の取り付け前に、電気機器収納箱に孔開け加工を施す必要があるため、一度孔開け加工をしてしまうと、取り付け位置の変更及び調整が困難である等の課題があった。
【０００５】
そこで、本発明の目的は、任意の位置で容易に着脱可能なケーブル支持具を提供することにある。
【課題を解決するための手段】
【０００６】
上記目的を達成するために、請求項１に記載の発明は、長尺板状のサポート本体と、横断面五角形状の押し当て部材と、調整ねじとを備え、電気機器を収納可能な箱体であるボックス本体の内側に取り付け可能なケーブル支持具であって、サポート本体の長尺方向の一端は、９０度未満の角度で屈曲されて第１曲げ部が形成され、第１曲げ部には、ねじ孔が設けられ、サポート本体の長尺方向の他端は、９０度で屈曲されて第２曲げ部が形成され、押し当て部材は、第１曲げ部を挿入する挿入孔を側部に有して、内部にその収容空間を備えると共に、第１曲げ部を収容した状態で、サポート本体の長手方向を向く面と、それに直交する面とを側部に有する柱状体であり、さらに、収容されている第１曲げ部のねじ孔に、調整ねじを螺入するためのねじ挿通孔が挿入孔近傍の側部に形成されており、調整ねじの締め付け具合により、サポート本体が、少なくともその長尺方向に沿って移動し、第２曲げ部と、押し当て部材のサポート本体の長手方向を向く面とをボックス本体の対向する一対の壁の内面それぞれに当接させることで、固定可能であることを特徴とする。
請求項２に記載の発明は、上記構成において、第１曲げ部は、３０〜６０度の角度で形成されることを特徴とする。
【発明の効果】
【０００７】
請求項１に記載の発明によれば、前もって電気機器を収容するためのボックス本体に加工を施す必要がなく、調整ねじを締め付けることで、ボックス本体の対向する一対の壁の内面に固定できるため、任意の位置にケーブル支持具を取り付けることができる。また、調整ねじを緩めることで容易に取り外しが可能であり、取り付け位置の変更及び調整を容易に行える。
請求項２に記載の発明によれば、調整ねじを締め付けることで、サポート本体の長手方向とそれに直交する方向とにケーブル支持具が拡張されるようになるため、ボックス本体の直交する２つの壁に圧をかけることができ、強固に固定が可能となる。
【図面の簡単な説明】
【０００８】
【図１】（ａ）は本発明のケーブル支持具を示す斜視図、（ｂ）は分解斜視図である。
【図２】（ａ）は本発明のケーブル支持具をボックス本体に取り付ける前の状態を示す説明図、（ｂ）は取付状態を示す説明図である。
【図３】本発明のケーブル支持具の使用状態の一例を示す説明図である。
【発明を実施するための形態】
【０００９】
以下、本発明の実施の形態を図面に基づいて説明する。
図１（ａ）は、本発明のケーブル支持具を示す斜視図、図１（ｂ）は、分解斜視図である。
ケーブル支持具１は、図１（ａ）に示すように、長尺板状のサポート本体２と、横断面略五角形状の押し当て部材３と、調整ねじ４とを備える。
【００１０】
サポート本体２は、金属製の板状であって、図１（ｂ）に示すように、サポート本体２の長手方向の一端は、４５度に屈曲されて第１曲げ部５が形成されている。第１曲げ部５には、ねじ孔６が設けられている。一方、サポート本体２の長手方向の他端は、９０度で屈曲されて第２曲げ部７が形成されている。また、複数の貫通孔８が、サポート本体２の長手方向に沿って設けられている。
【００１１】
押し当て部材３は、樹脂製の柱状体であって、第１曲げ部５を挿入する挿入孔９を側面３ａに有し、挿入孔９から押し当て部材３の内部にかけて、第１曲げ部５を収容可能な収容空間１０が形成されている。また、収容空間１０は、図２（ａ）に示すように、第１曲げ部５と同一角度で屈曲した形状に形成される。また、側面３ａに隣り合う側面３ｂには、第１曲げ部５を収容空間１０に収容した際、押し当て部材３の外側からねじ孔６に調整ねじ４を螺入するためのねじ挿通孔１１が設けられている。
ケーブル支持具１は、押し当て部材３の挿入孔９から収容空間１０内へサポート本体２の第１曲げ部５を挿入し、押し当て部材３の外側からねじ挿通孔１１を介して、収容空間１０内のねじ孔６に調整ねじ４を螺入することで得られる。
【００１２】
続いて、ケーブル支持具１の取り付け方法について説明する。
図２（ａ）は本発明のケーブル支持具をボックス本体に取り付ける前の状態を示す説明図、（ｂ）は取付状態を示す説明図である。
まず、図２（ａ）に示ように、押し当て部材３にサポート本体２を挿入し、押し当て部材３の外部から調整ねじ４をねじ挿通孔１１を介して第１曲げ部５のねじ孔６に螺入して、サポート本体２と押し当て部材３とを仮止めする。この状態で、電気機器を収納する箱体であって、前方に向けて開口するボックス本体Ｂの前壁Ｂ１の内面に、第２曲げ部７を当接させ、密着させる。
続いて、調整ねじ４を締め込む。調整ねじ４を締め込むことで、押し当て部材３は、調整ねじ４の先端に向けて移動する。即ち、サポート本体２の長手方向とそれに直交する方向とにケーブル支持具１が拡張される。従って、図２（ｂ）に示すように、押し当て部材３のサポート本体２の長手方向を向く側面３ｃ及び側面３ｃと直交する側面３ｄとのそれぞれが、ボックス本体Ｂの後壁Ｂ２の内面及び側壁Ｂ３の内面に当接し、密着するまで調整ねじ４を締め込むことで、前壁Ｂ１及び後壁Ｂ２に対して突っ張った状態となり、サポート支持具１は、ボックス本体Ｂに固定される。ケーブル支持具１を取り外す際には、調整ねじ４を緩めれば良い。
第１曲げ部５を４５度で屈曲させることで、ケーブル支持具１を固定する際、ボックス本体Ｂの後壁Ｂ２だけでなく側壁Ｂ３にも力が加わるため、ケーブル支持具１をボックス本体２に強固に固定できる。また、第１曲げ部５を４５度で屈曲させることで、押し当て部材３の側面３ｂにねじ挿通孔１１が設けられるため、前方から調整ねじ４の締め付けが可能となり、ボックス本体Ｂに電気機器（図示せず）を収納した状態でも、ケーブル支持具１の取り付けや取り付け位置の調整を容易に行える。
【００１３】
図３は、本発明のケーブル支持具の使用状態の一例を示す説明図である。
ボックス本体Ｂにケーブル支持具１を取り付けた後、図３に示すように、貫通孔８，８を通した結束バンドのような固定手段１２を用いることで、電気機器（図示せず）に繋がる配線等のケーブル類Ｃを支持できる。この時、固定手段１２を用いずに、サポート本体２とボックス本体の側壁Ｂ３との間にケーブル類Ｃを通すことで、ケーブル類Ｃを支持しても良い。
【００１４】
上記形態のケーブル支持具１は、長尺板状のサポート本体２と、横断面略五角形状の押し当て部材３と、調整ねじ４とを備え、サポート本体２の長尺方向の一端は、４５度で屈曲されて第１曲げ部５が形成され、第１曲げ部５には、ねじ孔６が設けられ、サポート本体２の長尺方向の他端は、９０度で屈曲されて第２曲げ部７が形成され、押し当て部材３は、第１曲げ部５を挿入する挿入孔９を側面３ａに有して、内部にその収容空間１０を備えると共に、第１曲げ部５を収容した状態で、サポート本体２の長手方向を向く側面３ｃと、それに直交する側面３ｄとを有する柱状体であり、さらに、収容されている第１曲げ部５のねじ孔６に、調整ねじ４を螺入するためのねじ挿通孔１１が側面３ｂに形成されている。
このようにして構成されるケーブル支持具１によれば、前もって電気機器を収容するためのボックス本体Ｂに加工を施す必要がなく、調整ねじ４を締め付けることで、ボックス本体Ｂの前面板Ｂ１及び背面板Ｂ２の内面に固定できるため、任意の位置にケーブル支持具１を取り付けることができる。また、調整ねじ４を緩めることで容易に取り外しが可能であり、取り付け位置の変更及び調整を容易に行える。
【００１５】
また、第１曲げ部５は、４５度の角度で形成される。
よって、調整ねじ４を締め付けることで、サポート本体２の長手方向とそれに直交する方向とにケーブル支持具１が拡張されるようになるため、ボックス本体Ｂの後壁Ｂ２及び側壁Ｂ３の両方に圧をかけることができ、強固に固定が可能となる。
【００１６】
以上は、本発明を図示例に基づいて説明したものであり、その技術範囲はこれに限定されるものではない。例えば、サポート本体の材質は、金属に限定されず、樹脂製であっても良い。
また、押し当て部材の材質は、樹脂以外のものを用いても良い。
また、第１曲げ部の形成角度は、９０度未満の角度で任意に設定可能である。好ましくは、３０〜６０度で屈曲形成される。
また、押し当て部材の形状は、前記サポート本体の長手方向を向く面と、それに直交する面を側部に有していれば良く、五角形状以外の多角形状であっても良い。
また、ねじ挿通孔は、押し当て部材の移動によるケーブル支持具の拡張が可能であれば、挿入孔を形成する面の隣の面以外の面に設けても良い。
また、調整ねじは、抜け落ち防止のための抜け止めを備えていても良い。
また、ケーブル支持具の取り付けは、ボックス本体の前後壁に対して突っ張って取り付ける以外にも、ボックス本体の両側壁に対して突っ張って取り付けても良いし、天板と底板とに対して突っ張って取り付けても良い。
【符号の説明】
【００１７】
１・・ケーブル支持具、２・・サポート本体、３・・押し当て部材、３ａ，３ｂ，３ｃ，３ｄ・・側面、４・・調整ねじ、５・・第１曲げ部、６・・ねじ孔、７・・第２曲げ部、９・・挿入孔、１０・・収容空間、１１・・ねじ挿通孔。
【図１】
2022002250.tif 000003
【図２】
2022002250.tif 000004
【図３】
2022002250.tif 000005